(57)【要約】      （修正有）【課題】乾電池式ライトのように乾電池の交換が必要なく、発電式ライトのような、夜間手動で発電する手間を必要とせず、防災用カバン、ナップサック等の収納グッズに入れても嵩張ったりせず、変形にも耐え、軽くて、衝撃に強く、耐火性（１０秒程度の接炎で燃焼しない）があり、長期間使用していなくても機能を低下させることがなく、人の安全を守るグッズの代用となる機能を兼務できる発光性板状体を提供する。【解決手段】樹脂材に白色顔料を混合した白色反射層と、前記白色反射層上に積層した樹脂材に蓄光顔料を混合した蓄光層と、前記蓄光層上に積層した樹脂材製の透明保護層３とよりなる発光性板状体４において、前記板状体の縁部に複数個の取付用穴５を設けたことを特徴とする。【選択図】図１
0003133933.tif 000002
【実用新案登録請求の範囲】
【請求項１】
樹脂材に白色顔料を混合した白色反射層（１）と、前記白色反射層（１）上に積層した樹脂材に蓄光顔料を混合した蓄光層（２）と、前記蓄光層（２）上に積層した樹脂材製の透明保護層（３）とよりなる発光性板状体（４）において、前記板状体（４）の縁部に複数個の取付用穴（５）を設けたことを特徴とする発光性板状体。
【請求項２】
請求項１記載の発光性板状体であって、前記取付用穴（５）に紐（６）を通して円筒状と成した非常灯。
【請求項３】
請求項１記載の発光性板状体であって、前記取付用穴（５）に紐（６）を通して天井より吊り下げられる様に成した非常灯。
【請求項４】
請求項１記載の発光性板状体であって、前記取付用穴（５）に紐（６）を通して頭部に被れるように成した防災頭巾。
【請求項５】
請求項１記載の発光性板状体であって、前記取付用穴（５）に紐（６）を通してランドセルに固定出来る様に成したランドセル用発光性板状体。
【考案の詳細な説明】
【技術分野】
【０００１】
本考案は、非常灯、防災頭巾等に応用出来る発光性板状体に関するものである。
【背景技術】
【０００２】
従来、災害時に使用される非常灯としては、電池式ライト、発電（手動発電）式ＬＥＤライトがある。
このうち、電池式ライトは、乾電池の寿命が過ぎると使用出来ない問題があった。
そこで、近年は、発電式ＬＥＤライトが、電池式ライトに代わり非常灯として使われる様になってきた。
しかし、発電式ＬＥＤライトは、災害時に、夜間手動で発電するこが必要であり、現実的には、使用が困難であった。
【０００３】
そこで、電池式ライト及び発電式ＬＥＤライトに代わる以下の要件を備えた非常灯が望まれていた。
１. 乾電池式ライトのように乾電池の交換が必要な部品がないこと。
２．発電式ライトのような、夜間手動で発電する手間を必要としないこと。
３．防災用カバン、ナップサック等の収納グッズに入れても嵩張ったりせず、変形にも耐
え、軽いこと。
４．衝撃に強く、耐火性（１０秒程度の接炎で燃焼しない）があること。
５．長期間使用していなくても機能を低下させることがないこと。
６．人の安全を守るグッズの代用となる機能を兼務できること。
しかし、この様な条件をすべてを満たす災害用非常灯は、現時点、存在しない。
【０００４】
【特許文献１】特開平１１−１５８８２４号公報
【考案の開示】
【考案が解決しようとする課題】
【０００５】
本考案は上記したような事情に鑑みてなされたものであり、乾電池式ライトのように乾電池の交換が必要なく、発電式ライトのような、夜間手動で発電する手間を必要とせず、防災用カバン、ナップサック等の収納グッズに入れても嵩張ったりせず、変形にも耐え、軽くて、衝撃に強く、耐火性（１０秒程度の接炎で燃焼しない）があり、長期間使用していなくても機能を低下させることがなく、人の安全を守るグッズの代用となる機能を兼務できる発光性板状体を提供することを目的とする。
【課題を解決するための手段】
【０００６】
上記目的を達成するために本考案に係る発光性板状体にあっては、樹脂材に白色顔料を混合した白色反射層と、前記白色反射層上に積層した樹脂材に蓄光顔料を混合した蓄光層と、前記蓄光層上に積層した樹脂材製の透明保護層とよりなる発光性板状体において、前記板状体の縁部に複数個の取付用穴を設けたことを特徴とする発光性板状体。
【考案の効果】
【０００７】
本考案は、以下に記載される効果を奏する。
請求項１記載の考案の発光性板状体によれば、乾電池の交換が必要なく、夜間手動で発電する手間を必要としない発光性板状体を提供できる。
【０００８】
請求項２記載の考案の非常灯によれば、乾電池の交換が必要なく、夜間手動で発電する手間を必要としない非常灯を提供できる。
請求項３記載の考案の非常灯によれば、乾電池の交換が必要なく、夜間手動で発電する手間を必要とせず、軽量であるため、簡単に天井から吊るすことが出来る非常灯を提供できる。
【０００９】
請求項４記載の考案の防災頭巾によれば、防災用カバン、ナップサック等の収納グッズに入れても嵩張ったりせず、変形にも耐え、人の安全を守るグッズの代用となる機能を兼務している。
請求項５記載の考案の発光性板状体によれば、軽くて、嵩張ったりせず、変形にも耐え、人の安全を守るグッズの代用となる機能を兼務している。
【考案を実施するための最良の形態】
【００１０】
以下、本考案を実施するための最良の形態について説明する。
図１乃至図５に基づき考案を実施するための最良の形態について説明する。
図１は、本考案の実施例に係る発光性板状体の平面図である。
図２は、図１のＡ−Ａ断面図である。
図３は、本考案の発光性板状体を使用した非常灯の斜視図である。
図４は、本考案の発光性板状体を使用した、天井から吊るす非常灯の斜視図である。
図５は、本考案の発光性板状体を使用した、防災頭巾の斜視図である。
【００１１】
本考案に係る発光性板状体は、樹脂材に白色顔料を混合した白色反射層１と、この白色反射層１上に積層した樹脂材に蓄光顔料を混合した蓄光層２と、この蓄光層２上に積層した樹脂材製の透明保護層３とよりなる発光性板状体であって、この発光性板状体の縁部に複数個の取付用穴５を設けた構成としている。
【００１２】
具体的には、幅１００〜４００ｍｍ（好ましくは、１５０〜２５０ｍｍ）、長さ２００〜５００ｍｍ（好ましくは２５０〜３５０ｍｍ）、厚み１〜１０ｍｍ（好ましくは、１．５〜４．５ｍｍ）で、透明で柔軟性があり、且つ強靭な樹脂材からなる透明保護層３と、柔軟な樹脂に蓄光顔料を添加した蓄光層２と、柔軟な樹脂からなる白色反射層１とからなる発光板状体である。
そして、この発光板状体の縁部には、６個の直径３〜１５ｍｍ（好ましくは直径１．５〜４．５ｍｍ）の取付用穴５が加工されている。
この取付用穴５に固定用紐６を取り付けることにより、図３に示す円筒状の卓上非常灯になったり、図４に示す様な、天井から吊り下げることが出来る非常灯とすることができる。
【００１３】
さらに、図５に示す様に、発光板状体をＵ字形状に折り曲げ、取付用穴５を通した紐６により、頭に固定して、防災頭巾と出来る。
特に、蓄光顔料が非常に硬いため、蓄光層２が、鋭利な刃物やガラスの破片が貫通するのを効果的に阻止するため、防災用として特に有効である。
加うるに、透明保護層３及び白色反射層１は、柔軟なため、衝撃を効果的に緩衝する機能も備えており、外部からの衝撃に対し人体を守る効果も期待できる。
また、透明保護層３は、硬度ＪＩＳＡ８０の熱硬化性透明無黄変ウレタン材を使用している。
更に、蓄光層２は、透明無黄変ウレタン材に高輝度蓄光顔料を添加した材料が使用されている。
更に又、白色反射層１は、白色顔料を添加したウレタン材からなっている。
【００１４】
本考案に係る発光板状体は、晴天時昼間であれば３０分、曇り時においても１時間、蛍光灯下で２時間照射光を受けることで夜間（１０〜１２時間）１０ｍｃｄ／ｍ２以上発光する。
この１０ｍｃｄ／ｍ２は、広さ１０ｍ２程度の部屋であれば、最小限度の生活可能な明るさを維持できる光の強さである。
この様に、本考案の発光板状体は、災害時の非常灯等で望まれている前記１〜６の機能をすべて満たしていると共に、広範囲の用途に使用可能である。
例えば、ランドセルの背中に、紐で本考案の発光板状体を固定することにより、夜間、車輌から確認し易くして、交通事故を未然に防ぐとともに、背後から刃物等で襲われた場合の防災用としても機能する。
【００１５】
また、本考案の発光板状体は、シート状でフレキシブル（柔軟性がある）であり、通常での使用サイズ２００×３００×３．５ｔにおいて２５０ｇ程度の重さしかないため、持ち運びに適している。
【００１６】
更に、本考案の発光板状体は、材質としてウレタン樹脂を使用しているため、耐衝撃性、耐磨耗性が高く、熱伝導性が低い特性を備えており、路面、凹凸面の敷物としても使用できる等、広範囲な非常用具としても活用できる。
このように、本考案の発光板状体は、災害時に色々な用途に使用でき且つ、長期間保存可能（長期間の保存により機能が低下するものがない）であるために、防災グッズとして最適である。
【図面の簡単な説明】
【００１７】
【図１】本考案の実施例に係る発光性板状体の平面図である。
【図２】図１のＡ−Ａ断面図である。
【図３】本考案の発光性板状体を使用した非常灯の斜視図である。
【図４】本考案の発光性板状体を使用した、天井から吊るす非常灯の斜視図である。
【図５】本考案の発光性板状体を使用した、防災頭巾の斜視図である。
【符号の説明】
【００１８】
１    白色反射層
２    蓄光層
３    透明保護層
４    発光性板状体
５    穴
６    紐
【図１】
0003133933.tif 000003
【図２】
0003133933.tif 000004
【図３】
0003133933.tif 000005
【図４】
0003133933.tif 000006
【図５】
0003133933.tif 000007